(57)【要約】【課題】ボア径部の端面振れを抑え、回転方向にスキューされてしまうことの防止、ダイカスト前後での内径および磁石挿入空隙部が変形しない回転子を具備する電動機を提供することを目的とする。【解決手段】回転子において磁石挿入用空隙１２と回転子内径１４の間に全て同一方向あるいは回転子中心より放射状に存在するクランプ１８を設けることにより、ボア径部の端面振れを抑え、回転方向にスキューされてしまうことの防止、ダイカスト前後での内径、および磁石挿入空隙部の変形を防止することができる。【選択図】　図１
2004040865.tif 000002
【特許請求の範囲】
【請求項１】
固定子と、鉄板を積層してなる鉄心に磁石を埋め込むための空隙を有した回転子を具備する磁石埋込型電動機であって、前記回転子は空隙とロータ内径の間に全て同一方向にクランプを設けたことを特徴とする電動機。
【請求項２】
固定子と、鉄板を積層してなる鉄心に磁石を埋め込むための空隙を有した回転子を具備する磁石埋込型電動機であって、前記回転子は空隙とロータ内径の間に回転子中心より放射状に存在するクランプを設けたことを特徴とする電動機。
【請求項３】
回転子には磁石と共に、二次導体が形成されていることを特徴とする請求項１または請求項２に記載の電動機。
【請求項４】
請求項１から請求項３のいずれか１項に記載の電動機を用いたことを特徴とする全密閉型冷凍圧縮機。
【請求項５】
請求項４に記載の全密閉型冷凍圧縮機を用いたことを特徴とする冷凍サイクル。
【発明の詳細な説明】
【０００１】
【発明の属する技術分野】
本発明は空調もしくは冷凍機器等の冷凍サイクルを構成する全密閉型冷凍圧縮機用の電動機に関するものである。
【０００２】
【従来の技術】
従来、空調もしくは冷凍機器に使用されている電動機には、鉄板を積層してなる鉄心に磁石を埋め込むための空隙を有した回転子またはアルミダイカストを行い製造した回転子が具備されており、ロータ外径切削レスあるいはコア打ち抜き後の工程の生産性向上などの目的から、回転子中心に対し同心円の位置にクランプを行ったものが採用されてきている。以下に従来の電動機の回転子について説明する。
【０００３】
図５は従来の電動機の回転子構造を示すものであり、図において、２１は鉄心、２２は磁石挿入用空隙、２３はクランプ、２４は回転子内径、２５は回転子外径、２６はスロット、２７はボア径部端面である。
【０００４】
【発明が解決しようとする課題】
以上のような従来の電動機に用いる回転子の構成では、ボア径部の端面振れが大きいこと、回転方向にスキューされてしまうこと、ダイカスト前後での内径および磁石挿入空隙部が変形する原因となるという課題を有していた。
【０００５】
本発明は前記従来の課題に鑑みなされたものであり、ボア径部の端面振れを抑え、回転方向にスキューされてしまうことの防止、ダイカスト前後での内径および磁石挿入空隙部が変形しない回転子を具備する電動機を提供することを目的とする。
【０００６】
【課題を解決するための手段】
この目的を達成するために本発明の電動機は、回転子において磁石を挿入するための空隙と回転子内径の間に全て同一方向あるいは回転子中心より放射状に存在するクランプを設けることにより、ボア径部の端面振れを抑え、回転方向にスキューされてしまうことの防止、ダイカスト前後での内径、および磁石挿入空隙部の変形を防止することができる。
【０００７】
【発明の実施の形態】
本発明の請求項１に記載の発明は、固定子と、鉄板を積層してなる鉄心に磁石を埋め込むための空隙を有した回転子を具備する磁石埋込型電動機であって、前記回転子は空隙とロータ内径の間に全て同一方向にクランプを設けたことを特徴とする電動機としたものであり、ボア径部の端面振れを抑え、回転方向にスキューされてしまうことの防止、ダイカスト前後での内径、および磁石挿入空隙部が変形しない回転子とすることができるという作用を有する。
【０００８】
請求項２に記載の発明は、固定子と、鉄板を積層してなる鉄心に磁石を埋め込むための空隙を有した回転子を具備する磁石埋込型電動機であって、前記回転子は空隙とロータ内径の間に回転子中心より放射状に存在するクランプを設けたことを特徴とする電動機としたものであり、ボア径部の端面振れを抑え、回転方向にスキューされてしまうことの防止、ダイカスト前後での内径、および磁石挿入空隙部が変形しない回転子とすることができるという作用を有する。
【０００９】
請求項３に記載の発明は、回転子には磁石と共に、二次導体が形成されていることを特徴とする請求項１または請求項２に記載の電動機としたものであり、ボア径部の端面振れを抑え、回転方向にスキューされてしまうことの防止、ダイカスト前後での内径、および磁石挿入空隙部が変形しない回転子とすることができるという作用を有する。
【００１０】
請求項４に記載の発明は、請求項１から請求項３のいずれか１項に記載の電動機を用いたことを特徴とする全密閉型冷凍圧縮機としたものであり、ボア径部の端面振れを抑えられることにより圧縮機の寿命を長くでき、磨耗粉による冷凍サイクル閉塞を防止するという作用を有する。
【００１１】
請求項５に記載の発明は、請求項４に記載の全密閉型冷凍圧縮機を用いたことを特徴とする冷凍サイクルとしたものであり、ボア径部の端面振れを抑えられることにより圧縮機の寿命を長くでき、磨耗粉による冷凍サイクル閉塞防止ができるという作用を有する。
【００１２】
【実施例】
以下、本発明の具体例について図１を用いて説明する。
【００１３】
図１において、１１は鉄心、１２は磁石挿入用空隙、１３はクランプ、１４は回転子内径、１５は回転子外径、１６はスロット、１７はボア径部端面、１８は回転子内径と磁石挿入用空隙間のクランプである。
【００１４】
鉄板を積層してなる鉄心に磁石を埋め込むための空隙を有した回転子であって、空隙とロータ内径の間に全て同一方向にクランプを設けたことを特徴とする全密閉型冷凍圧縮機用電動機としたものであり、全て同一方向のクランプの例を図１から図３に示す。
【００１５】
図１は回転子水平線に対し平行にクランプ１８を配置させた場合を示し、図２は回転子鉛直線に対し平行にクランプ１８を配置させた場合を示し、図３は回転子水平線とクランプ１８の角度が全て同一となるよう配置させた場合を示す。
【００１６】
鉄板を積層してなる鉄心に磁石を埋め込むための空隙を有した回転子であって、空隙とロータ内径の間に回転子中心より放射状に存在するクランプ１８を設けたことを特徴とする全密閉型冷凍圧縮機用電動機としたものであり、放射状に配置したクランプ１８の例を図４に示す。
【００１７】
【発明の効果】
請求項１に記載の発明によれば、固定子と、鉄板を積層してなる鉄心に磁石を埋め込むための空隙を有した回転子を具備する磁石埋込型電動機であって、前記回転子は空隙とロータ内径の間に全て同一方向にクランプを設けたことを特徴とする電動機であり、ボア径部の端面振れを抑え、回転方向にスキューされてしまうことの防止、ダイカスト前後での内径、および磁石挿入空隙部が変形しない回転子を提供することができる。
【００１８】
請求項２に記載の発明によれば、固定子と、鉄板を積層してなる鉄心に磁石を埋め込むための空隙を有した回転子を具備する磁石埋込型電動機であって、前記回転子は空隙とロータ内径の間に回転子中心より放射状に存在するクランプを設けたことを特徴とする電動機であり、ボア径部の端面振れを抑え、回転方向にスキューされてしまうことの防止、ダイカスト前後での内径、および磁石挿入空隙部が変形しない回転子を搭載した電動機を提供することができる。
【００１９】
請求項３に記載の発明によれば、回転子には磁石と共に、二次導体が形成されていることを特徴とする請求項１または請求項２に記載の電動機であり、ボア径部の端面振れを抑え、回転方向にスキューされてしまうことの防止、ダイカスト前後での内径、および磁石挿入空隙部が変形しない回転子を用いた電動機を提供することができる。
【００２０】
請求項４に記載の発明によれば、請求項１から請求項３のいずれか１項に記載の電動機を用いたことを特徴とする全密閉型冷凍圧縮機であり、ボア径部の端面振れを抑えられることにより圧縮機の寿命を長くでき、磨耗粉による冷凍サイクル閉塞を防止することができる。
【００２１】
請求項５に記載の発明によれば、請求項４に記載の全密閉型冷凍圧縮機を用いたことを特徴とする冷凍サイクルであり、磨耗粉による冷凍サイクル閉塞を防止することができる。
【図面の簡単な説明】
【図１】
本発明の回転子水平線に対し平行にクランプを配置した回転子を具備する電動
機の構成図
【図２】
本発明の回転子鉛直線に対し平行にクランプを配置した回転子を具備する電動
機の構成図
【図３】
本発明の回転子水平線とクランプの角度が全て同一となるよう配置した回転子
を具備する電動機の構成図
【図４】
本発明のクランプを放射状に配置した回転子を具備する電動機の構成図
【図５】
従来の電動機の構成図
【符号の説明】
１１　鉄心
１２　磁石挿入用空隙
１３　クランプ
１４　回転子内径
１５　回転子外径
１６　スロット
１７　ボア径部端面
１８　回転子内径と磁石挿入用空隙間のクランプ
１９　固定子
【図１】
2004040865.tif 000003
【図２】
2004040865.tif 000004
【図３】
2004040865.tif 000005
【図４】
2004040865.tif 000006
【図５】
2004040865.tif 000007